(57)【特許請求の範囲】
【請求項１】
複数の柱材と、柱材の上端間に架け渡される上側の梁材と、柱材の下端間に差し渡される下側の梁材とによって骨組みが形成される建物ユニットの開放部に配置される直方体状の柱材の被覆構造であって、
前記柱材の２側面を覆う前記柱材と略同じ長さの第１外壁部材と、
前記柱材の残りの２側面を覆うとともに、前記上側の梁材及び前記下側の梁材の高さ分以上の長さが前記第１外壁部材より短い第２外壁部材と、
前記第１外壁部材と前記第２外壁部材との側端縁間を塞ぐ見切り材とを備えたことを特徴とする柱材の被覆構造。
【請求項２】
前記第１外壁部材の側端縁を前記柱材に固定し、
前記第２外壁部材の側端縁を前記第１外壁部材に固定したことを特徴とする請求項１に記載の柱材の被覆構造。
【請求項３】
前記第１外壁部材の側端縁は、鉛直方向に長尺状に形成される固定板部を介して前記第２外壁部材に覆われる前記柱材の側面に固定されるとともに、
前記第２外壁部材は、前記固定板部を介して前記第１外壁部材に固定されることを特徴とする請求項２に記載の柱材の被覆構造。
【請求項４】
前記固定板部の両側の前記柱材の側面に、前記固定板部に沿って連続して止水材を配置したことを特徴とする請求項３に記載の柱材の被覆構造。
【請求項５】
前記見切り材は、前記第１外壁部材と前記第２外壁部材との側端縁間に嵌め込まれることを特徴とする請求項１乃至４のいずれか一項に記載の柱材の被覆構造。
【請求項６】
前記見切り材は、嵌め込み量を制限するストッパ部を有することを特徴とする請求項５に記載の柱材の被覆構造。
【発明の詳細な説明】
【技術分野】
【０００１】
本発明は、複数の柱材と梁材とによって骨組みが形成される建物ユニットの開放部に配置される直方体状の柱材の被覆構造に関するものである。
【背景技術】
【０００２】
特許文献１，２に開示されているように、玄関ポーチ等に露出する柱材の周囲を化粧材で被覆することで、外観を向上させたり、柱材の損傷を防いだりすることが知られている。特許文献１，２では、直方体状の柱の４側面のそれぞれに対して、帯板状の側面主板や平板状表面部材を取り付ける構成となっている。
【０００３】
一方、特許文献３，４には、外壁をパネルを組み合わせて構築するに際して、出隅となるパネル間を役物によって塞ぐことで、簡単に見栄えを良くすることができる構成が開示されている。
【先行技術文献】
【特許文献】
【０００４】
【特許文献１】特開２００５−３６６１０号公報
【特許文献２】特開２００３−２７７００号公報
【特許文献３】特開２００５−２０７１５５号公報
【特許文献４】特開２００７−２２４５１４号公報
【発明の概要】
【発明が解決しようとする課題】
【０００５】
ところで、四隅にそれぞれ１本ずつ配置された角形鋼管などの柱材同士を、溝形鋼などの梁材によって繋いだボックス形の骨組構造体が形成される建物ユニットは、通常、外部に隣接する柱材が、外壁パネルなどの建物の一側面を形成する部材によってまとめて覆われる。
【０００６】
しかしながら、建物ユニットの一部の領域をバルコニーなどの開放部にした場合、開放部の出隅に配置される柱材は、長方形のパネルによってまとめて覆うことができない。
【０００７】
一方、特許文献１，２に開示されているような４側面のそれぞれに対して化粧材を固定する構成では、取り付けに手間がかかるうえに、柱材の全周を損傷させることになるため、構造部材となる柱材には適用しにくい。
【０００８】
そこで、本発明は、建物ユニット内に開放部を形成するための簡単で柱材に与える影響の少ない柱材の被覆構造を提供することを目的としている。
【課題を解決するための手段】
【０００９】
前記目的を達成するために、本発明の柱材の被覆構造は、複数の柱材と梁材とによって骨組みが形成される建物ユニットの開放部に配置される直方体状の柱材の被覆構造であって、前記柱材の２側面を覆う第１外壁部材と、前記柱材の残りの２側面を覆う第２外壁部材と、前記第１外壁部材と前記第２外壁部材との側端縁間を塞ぐ見切り材とを備えたことを特徴とする。
【００１０】
ここで、前記第１外壁部材の側端縁を前記柱材に固定し、前記第２外壁部材の側端縁を前記第１外壁部材に固定する構成とすることができる。また、前記第１外壁部材の側端縁は、鉛直方向に長尺状に形成される固定板部を介して前記第２外壁部材に覆われる前記柱材の側面に固定されるとともに、前記第２外壁部材は、前記固定板部を介して前記第１外壁部材に固定される構成とすることもできる。
【００１１】
さらに、前記固定板部の両側の前記柱材の側面に、前記固定板部に沿って連続して止水材を配置した構成とすることができる。
【００１２】
また、前記見切り材は、前記第１外壁部材と前記第２外壁部材との側端縁間に嵌め込まれる構成とすることができる。さらに、前記見切り材は、嵌め込み量を制限するストッパ部を有する構成とすることができる。
【発明の効果】
【００１３】
このように構成された本発明の柱材の被覆構造は、複数の柱材と梁材とによって骨組みが形成される建物ユニットの開放部に配置される直方体状の柱材を対象とする。
【００１４】
そして、柱材の２側面を覆う第１外壁部材と、残りの２側面を覆う第２外壁部材と、第１外壁部材と前記第２外壁部材との側端縁間を塞ぐ見切り材とを備えている。
【００１５】
このような構成にすることによって、簡単に開放部に独立して配置される柱材を被覆することができる。また、柱材に対して２部材を固定するだけであれば、固定箇所の低減が可能となり、柱材に与える影響を最小限に抑えることができる。
【００１６】
特に、第１外壁部材の側端縁を柱材に固定し、第２外壁部材の側端縁を第１外壁部材に固定することで、構造部材である柱材への加工を最小限に抑えることができる。
【００１７】
例えば、柱材に第１外壁部材を固定するための固定板部に対して第２外壁部材を固定することで、第２外壁部材の取り付けにおいては柱材を損傷させないようにすることができる。
【００１８】
さらに、固定板部の両側の柱材の側面に固定板部に沿って連続して止水材を配置することで、固定板部周辺からの柱材側への浸水を確実に防ぐことができる。
【００１９】
また、見切り材を第１外壁部材と第２外壁部材との側端縁間に嵌め込ませる構造とすることで、ネジなどの締結手段が外観として露出するのを防ぐことができる。
【００２０】
さらに、見切り材に嵌め込み量を制限するストッパ部を設けることで、第１外壁部材と第２外壁部材との側端縁間で見切り材が陥没するのを防ぐことができる。
【図面の簡単な説明】
【００２１】
【図１】本発明の実施の形態の柱材の被覆構造の構成を説明する断面図である。
【図２】建物ユニットの構成を説明する斜視図である。
【図３】ユニット建物の構成を説明する斜視図である。
【図４】出隅柱に先付外壁を取り付ける工程を説明する斜視図である。
【図５】先付外壁の構成を説明する図であって、（ａ）は突出片周辺の構成を説明する斜視図、（ｂ）は先付外壁の固定方法を示した説明図、（ｃ）は出隅柱に固定された先付外壁の上端及び下端を示した側面図である。
【図６】止水テープを貼り付ける工程を説明する図であって、（ａ）は斜視図、（ｂ）は説明図である。
【図７】出隅柱に後付外壁を取り付ける工程を説明する図であって、（ａ）は斜視図、（ｂ）は説明図である。
【発明を実施するための形態】
【００２２】
以下、本発明の実施の形態について図面を参照して説明する。図１は、本実施の形態の柱材の被覆構造の構成を説明する図で、図２はその被覆構造が設けられる建物ユニットとしてのＩＢユニット１（インナーバルコニーユニット）の構成を説明する斜視図である。
【００２３】
そして、図３は、このＩＢユニット１が組み込まれるユニット建物１０を構築する工程を説明する斜視図である。まず、図２，３を参照しながら建物としてのユニット建物１０、及びそれを構成する建物ユニットについて説明する。
【００２４】
ユニット建物１０は、工場で製作される複数の建物ユニット（１，１Ａ，１Ｂ）を、現地で横方向及び縦方向に連結することによって構築される。建物ユニット（１，１Ａ，１Ｂ）は、四隅に配置される柱材（１１，１１Ａ，１１Ｂ）と、その柱材（１１，１１Ａ，１１Ｂ）の下端間に差し渡される梁材としての床梁１２，１２Ａ，・・・と、柱材（１１，１１Ａ，１１Ｂ）の上端間に架け渡される梁材としての天井梁１３，１３Ａ，・・・とによってボックス形（直方体状）のラーメン構造体（骨組構造体）に形成される。
【００２５】
本実施の形態で説明する建物ユニット（１，１Ａ，１Ｂ）は、すべての柱材と梁材とが、接合枠材としてのジョイントピース１４を介して溶接によって剛接合される鉄骨ラーメン構造である。
【００２６】
通常の建物ユニット１Ａ，１Ｂは、図３に示すように、外部との境界となる側面が長方形状の外壁パネル１５Ａ，１５Ｂによって塞がれている。これに対して、図２に示すように、インナーバルコニーユニットとなるＩＢユニット１は、建物ユニットの一部の領域が開放部（バルコニー１６）となる。
【００２７】
すなわちＩＢユニット１には、開放部となるバルコニー１６と、バルコニー１６に隣接する屋内領域１９とが形成される。この屋内領域１９に配置される柱材は、通常の建物ユニット１Ａ，１Ｂと同じ内部柱１１Ｂとなる。また、屋内領域１９の外部との境界となる側面は、長方形状の外壁パネル１５によって塞がれる。
【００２８】
一方、バルコニー１６と屋内領域１９との境界は、バルコニー壁部１６３Ａによって区切られる。また、バルコニー１６と建物ユニット１Ａとの境界は、バルコニー壁部１６３Ｂによって区切られる。図示は省略するが、バルコニー壁部１６３Ａ，１６３Ｂの少なくとも一方には、バルコニー１６への出入り口となるサッシや扉や窓などが設けられる。
【００２９】
そして、バルコニー１６の建物ユニット１Ａに隣接しない出隅側の隅角部に配置される柱材を、出隅柱１１と呼ぶこととする。また、バルコニー１６の建物ユニット１Ａに隣接する側の柱材を、外部柱１１Ａと呼ぶこととする。
【００３０】
このバルコニー１６の外部との境界となる側面には、手摺部１６１，１６１Ａが設置される。この手摺部１６１，１６１Ａの下縁には、胴縁１７，１７Ａが架け渡される。
【００３１】
ＩＢユニット１の屋根部１８は、４本の柱材（１１，１１Ａ，１１Ｂ，１１Ｂ）と、これらに架け渡される天井梁１３，１３，１３Ａ，１３Ａとによって支持される。
【００３２】
続いて、長方形のバルコニー床１６２の隅角部の一箇所に、外壁パネル１５やバルコニー壁部１６３Ｂによって覆われることなく単独で立てられる出隅柱１１の被覆構造について説明する。
【００３３】
出隅柱１１は、図１の断面図に示すように、４つの側面１１１，１１２，１１３，１１４を有する四角筒状の部材である。出隅柱１１は、他の柱材（１１Ａ，１１Ｂ）と同様に、角形鋼管によって形成される。
【００３４】
出隅柱１１の各側面１１１−１１４には、止水材としての止水テープ５１，５２，５３，５４がそれぞれ貼り付けられる。この止水テープ５１−５４には、独立気泡の発泡合成樹脂などが使用できる。
【００３５】
出隅柱１１の被覆構造は、出隅柱１１の２側面１１１，１１２を覆う第１外壁部材としての先付外壁２と、出隅柱１１の残りの２側面１１３，１１４を覆う第２外壁部材としての後付外壁３と、先付外壁２と後付外壁３との側端縁２３ａ，３３ｂ（２３ｂ，３３ａ）間を塞ぐ見切り材４Ａ（４Ｂ）とによって主に構成される。
【００３６】
先付外壁２は、図１，４に示すように、出隅柱１１の側面１１１と略平行に配置される側壁部２１と、出隅柱１１の側面１１２と略平行に配置される側壁部２２と、側壁部２１，２２の側端縁２３ａ，２３ｂに沿って鉛直方向に延びるフレーム材２４ａ，２４ｂとによって主に構成される。
【００３７】
側壁部２１，２２は、硬質木片セメントなどによって、出隅柱１１と略同じ長さの長方形の板状に成形される。また、直交する側壁部２１，２２同士は、断面視略Ｌ字形の内角材２５によって接合される。
【００３８】
さらに、フレーム材２４ａ，２４ｂは、四角筒状の鋼材によって形成される。このフレーム材２４ａ，２４ｂのジョイントピース１４や胴縁１７Ａに隣接する位置には、図４及び図５（ａ），（ｃ）に示すように、側方に突出する突出片２８が設けられる。
【００３９】
この突出片２８の裏面には、止水テープ２８１が貼り付けられる。先付外壁２の側壁部２２側では、突出片２８を介したネジ２６ｄによるジョイントピース１４及び胴縁１７Ａへ固定が行われる。
【００４０】
一方、側壁部２１側のフレーム材２４ａには、図５（ｂ）に示すように、側壁部２１に直交する向きに固定板部２７ａが予め取り付けられている。この固定板部２７ａは、出隅柱１１の側面１１４と略平行となる。
【００４１】
側面１１４に接触させた固定板部２７ａは、ネジ２６ａによって出隅柱１１に固定される。これに対して、側壁部２２側のフレーム材２４ｂには、後から固定板部２７ｂが取り付けられる。
【００４２】
この固定板部２７ｂは、ネジ２６ｃによってフレーム材２４ｂに固定されるとともに、ネジ２６ｂによって出隅柱１１の側面１１３に固定される。
【００４３】
後付外壁３は、図１，７に示すように、出隅柱１１の側面１１３と略平行に配置される側壁部３１と、出隅柱１１の側面１１４と略平行に配置される側壁部３２と、側壁部３１，３２の側端縁３３ａ，３３ｂに沿って鉛直方向に延びる取付材３４ａ，３４ｂとによって主に構成される。
【００４４】
側壁部３１，３２は、硬質木片セメントなどによって、天井梁１３Ａと胴縁１７Ａの間隔と略同じ長さの長方形の板状に成形される。また、直交する側壁部３１，３２同士は、断面視略Ｌ字形の内角材３５によって接合される。
【００４５】
一方、取付材３４ａ，３４ｂには、図７（ｂ）に示すように、固定板部２７ｂ，２７ａと略平行な張出片が形成される。この取付材３４ａ，３４ｂの張出片を固定板部２７ｂ，２７ａに重ね、ネジ３６ａ，３６ｂによって接合させる。
【００４６】
そして、見切り材４Ａ（４Ｂ）は、先付外壁２と後付外壁３との側端縁２３ａ，３３ｂ（２３ｂ，３３ａ）間に嵌め込まれる長尺部材である。見切り材４Ａ（４Ｂ）の側端縁２３ａ，３３ｂ（２３ｂ，３３ａ）に接触させる箇所には、発泡合成樹脂やゴムなどによって成形された紐状の緩衝材４１，４１が取り付けられる。
【００４７】
また、見切り材４Ａ（４Ｂ）の内空側には、取付材３４ｂ（３４ａ）に接触させるためのストッパ部４２が設けられる。このストッパ部４２が取付材３４ｂ（３４ａ）に接触することによって押し込みが止まることで、見切り材４Ａ（４Ｂ）の陥没（押し込みすぎ）を防ぐことができる。
【００４８】
次に、図４−７を参照しながら、本実施の形態の柱材の被覆構造の構築方法について説明する。
【００４９】
まず、図４に示すように、出隅柱１１の外部に向いた側面１１１，１１２に対して、アングル状の先付外壁２を取り付ける。具体的には、図５（ｂ）に示すように、先付外壁２の側壁部２１側のフレーム材２４ａの裏面を止水テープ５１に接触させ、固定板部２７ａを側面１１４に接触させる。
【００５０】
続いて、固定板部２７ａと側面１１４とをネジ２６ａをねじ込むことによって接合させる。このとき、側壁部２２側のフレーム材２４ｂの裏面は、止水テープ５２に接触されている。
【００５１】
一方、側壁部２２側においては、図４に示すように、突出片２８，・・・にネジ２６ｄ，・・・をねじ込むことによって、天井梁１３Ａ及び床梁１２Ａのジョイントピース１４，１４や胴縁１７Ａへの接合を行う。
【００５２】
さらに、図４，図５（ｂ）に示すように、固定板部２７ｂを出隅柱１１の内側の側面１１３とフレーム材２４ｂとに跨らせ、ネジ２６ｂ，２６ｃによって側面１１３とフレーム材２４ｂへの接合を行う。
【００５３】
図６に示すように先付外壁２を出隅柱１１に固定した後に、固定板部２７ｂに沿って側面１１３に止水テープ５３を貼り付ける。また、側面１１４においても、固定板部２７ａに沿って止水テープ５４を貼り付ける。
【００５４】
そして、図７に示すように、出隅柱１１の内部に向いた側面１１３，１１４を覆うように、後付外壁３を取り付ける。後付外壁３の側壁部３１側では、取付材３４ａを止水テープ５３と固定板部２７ｂに重ねて、ネジ３６ａ，・・・による接合を行う。
【００５５】
一方、後付外壁３の側壁部３２側では、取付材３４ｂを止水テープ５４と固定板部２７ａに重ねて、ネジ３６ｂ，・・・による接合を行う。このようにして出隅柱１１に固定された先付外壁２と後付外壁３との側端縁２３ａ，３３ｂ（２３ｂ，３３ａ）間に、見切り材４Ａ（４Ｂ）を嵌め込む。
【００５６】
次に、本実施の形態の出隅柱１１の被覆構造の作用について説明する。
【００５７】
このように構成された本実施の形態の出隅柱１１の被覆構造は、複数の柱材（１１，１１Ａ，１１Ｂ）と梁材（１２，１２Ａ，１３，１３Ａ）とによって骨組みが形成されるＩＢユニット１のバルコニー１６に配置される直方体状の出隅柱１１を対象とする。
【００５８】
そして、出隅柱１１の２側面１１１，１１２を覆う先付外壁２と、残りの２側面１１３，１１４を覆う後付外壁３と、先付外壁２と後付外壁３との側端縁２３ａ，３３ｂ（２３ｂ，３３ａ）間を塞ぐ見切り材４Ａ，４Ｂとを備えている。
【００５９】
このような構成にすることによって、バルコニー１６に独立して配置される出隅柱１１を被覆することが可能になるので、ＩＢユニット１のように建物ユニット内にバルコニー１６などの開放部を形成することができる。
【００６０】
また、先付外壁２と後付外壁３をネジ２６ａ−２６ｄ，３６ａ，３６ｂで固定し、見切り材４Ａ，４Ｂを嵌め込みだけで、簡単に出隅柱１１を被覆することができる。
【００６１】
さらに、先付外壁２の側端縁２３ａ，２３ｂを出隅柱１１に固定し、後付外壁３の側端縁３３ａ，３３ｂを先付外壁２に固定する構成とすることで、構造部材である出隅柱１１への加工を最小限に抑えることができる。
【００６２】
要するに、出隅柱１１に先付外壁２を固定するための固定板部２７ａ，２７ｂに対して後付外壁３を固定することで、後付外壁３の取り付けにおいては出隅柱１１を損傷させないようにすることができる。この結果、出隅柱１１に与える影響を最小限に抑えることができる。
【００６３】
また、固定板部２７ａ（２７ｂ）を挟んだ両側の出隅柱１１の側面１１１，１１４（１１２，１１３）に、固定板部２７ａ（２７ｂ）に沿って連続して止水テープ５１，５４（５２，５３）を配置することで、固定板部２７ａ（２７ｂ）周辺からの出隅柱１１側への浸水を確実に防ぐことができる。
【００６４】
また、見切り材４Ａ（４Ｂ）を先付外壁２と後付外壁３との側端縁２３ａ，３３ｂ（２３ｂ，３３ａ）間に嵌め込ませる構造とすることで、ネジなどの締結手段が外観として露出するのを防ぐことができる。
【００６５】
さらに、見切り材４Ａ（４Ｂ）に嵌め込み量を制限するストッパ部４２を設けることで、先付外壁２と後付外壁３との側端縁２３ａ，３３ｂ（２３ｂ，３３ａ）間で見切り材４Ａ（４Ｂ）が陥没するのを防ぐことができる。
【００６６】
以上、図面を参照して、本発明の実施の形態を詳述してきたが、具体的な構成は、この実施の形態に限らず、本発明の要旨を逸脱しない程度の設計的変更は、本発明に含まれる。
【００６７】
例えば、前記実施の形態では、ＩＢユニット１の１箇所の隅角部にのみ出隅柱１１が配置される場合について説明したが、これに限定されるものではない。例えば、建物ユニットの全領域が開放部となって２箇所に出隅柱１１，１１が配置される場合にも、本発明を適用することができる。
【００６８】
また、前記実施の形態では、柱材と梁材とが剛接合されたラーメン構造体のＩＢユニット１について説明したが、これに限定されるものではない。本発明は、出隅柱１１と梁材とをボルトで接合させた鉄骨構造体となる建物ユニットであっても適用できる。
【符号の説明】
【００６９】
１              ＩＢユニット（建物ユニット）
１１            出隅柱（柱材）
１１１−１１４  側面
１２，１２Ａ    床梁（梁材）
１３，１３Ａ    天井梁（梁材）
１６            バルコニー（開放部）
２              先付外壁（第１外壁部材）
２３ａ，２３ｂ  側端縁
２７ａ，２７ｂ  固定板部
３              後付外壁（第２外壁部材）
３３ａ，３３ｂ  側端縁
４Ａ，４Ｂ      見切り材
４２            ストッパ部
５１−５４      止水テープ（止水材）
【図１】
0006564192.tif 000002
【図２】
0006564192.tif 000003
【図３】
0006564192.tif 000004
【図４】
0006564192.tif 000005
【図５】
0006564192.tif 000006
【図６】
0006564192.tif 000007
【図７】
0006564192.tif 000008